(57)【要約】  【課題】  携帯端末装置が複数のＥＬシートを備える場合の部品点数の増加と音響ノイズの増加を、低減することが可能な携帯端末装置を提供すること。  【解決手段】  複数のＥＬシート３１、３２と、各ＥＬシート３１、３２に印加する交流電圧を発生させる交流電源回路２０と、各ＥＬシート３１、３２の点灯および交流電源回路２０の動作を制御する制御回路１０〜１２とを備えた携帯端末装置において、交流電源回路２０が、ＣＰＵ１０の制御に応じて、発生する交流電圧の周波数を切り替え、制御回路１０〜１２が、携帯端末装置の動作および状態に応じて、複数のＥＬシート３１、３２のうちのいずれか１つを選択すると共に、交流電源回路２０を制御して、選択したＥＬシート３１、３２に交流電圧を印加し点灯させ、携帯端末装置が通話モードで動作しているとき、交流電源回路２０を制御して交流電圧の周波数を切り替えさせて低下させる構成を有している。【選択図】  図１
2007006005.tif 000002
【特許請求の範囲】
【請求項１】
複数のＥＬシートと、前記複数のＥＬシートに印加する交流電圧を発生させる交流電源回路と、前記複数のＥＬシートの点灯および前記交流電源回路の動作を制御する制御回路とを備えた携帯端末装置において、
前記制御回路が、前記携帯端末装置の動作および状態に応じて、前記複数のＥＬシートのうちのいずれか１つを選択すると共に、前記交流電源回路を制御して、選択した前記ＥＬシートに交流電圧を印加させて点灯させることを特徴とする携帯端末装置。
【請求項２】
前記交流電源回路が、前記制御回路の制御に応じて、発生する前記複数の交流電圧の周波数を切り替え、前記制御回路が、前記携帯端末装置の動作および状態に応じて、前記交流電源回路を制御して前記交流電圧の周波数を切り替えさせて、前記複数のＥＬシートの発光輝度の調節を行うことを特徴とする請求項１に記載の携帯端末装置。
【請求項３】
外部の装置と通信する通信部を備え、前記制御回路が、前記携帯端末装置が前記通信部を介して通話を行う動作のとき、前記交流電源回路を制御して前記交流電圧の周波数を切り替えさせて低下させることを特徴とする請求項２に記載の携帯端末装置。
【発明の詳細な説明】
【技術分野】
【０００１】
本発明は、携帯端末装置に関し、特に操作部、表示部等にＥＬシートを用いた携帯端末装置に関する。
【背景技術】
【０００２】
近年、携帯電話機をはじめとする携帯端末装置の高機能化に伴い、搭載する部品点数が増加し携帯端末装置のサイズおよび厚さは増大してきている。かかる携帯端末装置では、通常、液晶表示パネルが用いられ、そのバックライトとして白色ＬＥＤが用いられている。そして、携帯端末装置の高機能化と小型薄型化を実現すべく、厚さが薄く装置の小型化が可能なＥＬシートを携帯端末装置の操作部、表示部等のバックライトに用いることが行われるようになってきた（例えば、特許文献１参照。）。
【０００３】
図６は、特許文献１に記載された、交流電界駆動型のＥＬ素子をバックライトに用いた携帯端末装置の一部の構成を示す図である。図６において、給電制御部４は、携帯端末装置の状態に応じてトランジスタ３をオン／オフし、トランジスタ３がオンのときレギュレータ２を介して電池１からの直流電圧がトランジスタ５Ｈに印加され、発振回路５Ａおよび電圧制御回路５Ｇに作動信号が入力される。
【０００４】
発振回路５Ａは、外部に付加される抵抗６の抵抗値に応じた周波数で発振し、この周波数に応じた交流電圧をトランジスタ５Ｂに印加し、昇圧コイル７のダイオード８側の電位を上下させる。昇圧コイル７を流れる電流は、トランジスタ５Ｂがオンのとき、トランジスタ５Ｂ側に流れ、トランジスタ５Ｂがオフのとき、ダイオード８を介してトランジスタ５Ｃ〜Ｆ側に流れるようになっている。
【０００５】
ここで、トランジスタ５Ｃ〜Ｆはたすき掛け接続されており、出力電圧制御回路５Ｇの出力ＱがＬレベル、ＮＱがＨレベルのときには、トランジスタ５Ｃ，Ｆはオン状態となり、一方トランジスタ５Ｄ，Ｅはオフ状態となる。したがって、このときにはＥＬのＴ２端子側が接地電位（ＧＮＤ）となり、Ｔ１端子側が充電される。反対に、出力電圧制御回路５Ｇの出力ＱがＨレベル、ＮＱがＬレベルのときには、ＥＬのＴ１端子側が接地電位（ＧＮＤ）となり、Ｔ２端子側が放電される。
【特許文献１】特開平１１−２１２５１３号公報
【発明の開示】
【発明が解決しようとする課題】
【０００６】
しかしながら、このような従来の携帯端末装置では、ＥＬシートを点灯させるために交流電源回路が必要であり、複数のＥＬシートを備える場合、ＥＬシート毎に交流電源回路が必要になり、部品点数が増加するという問題があった。また、ＥＬシートの増加分だけ音響ノイズが増加し音質劣化を招くという問題もあった。
【０００７】
本発明はこのような問題を解決するためになされたもので、携帯端末装置が複数のＥＬシートを備える場合の部品点数の増加と音響ノイズの増加を、従来の携帯端末装置よりも低減することが可能な携帯端末装置を提供するものである。
【課題を解決するための手段】
【０００８】
本発明の携帯端末装置は、複数のＥＬシートと、前記複数のＥＬシートに印加する交流電圧を発生させる交流電源回路と、前記複数のＥＬシートの点灯および前記交流電源回路の動作を制御する制御回路とを備えた携帯端末装置において、前記制御回路が、前記携帯端末装置の動作および状態に応じて、前記複数のＥＬシートのうちのいずれか１つを選択すると共に、前記交流電源回路を制御して、選択した前記ＥＬシートに交流電圧を印加させて点灯させる構成を有している。
【０００９】
この構成により、１つの交流電源回路を用いてＥＬシートを別々に点灯させ、不必要にＥＬシートが点灯することを低減できるため、携帯端末装置が複数のＥＬシートを備える場合の部品点数の増加と音響ノイズの増加を、従来の携帯端末装置よりも低減することが可能な携帯端末装置を実現することができる。
【００１０】
また、本発明の携帯端末装置は、複数のＥＬシートと、前記複数のＥＬシートに印加する交流電圧を発生させる交流電源回路と、前記複数のＥＬシートの点灯および前記交流電源回路の動作を制御する制御回路とを備えた携帯端末装置において、前記交流電源回路が、前記制御回路の制御に応じて、発生する前記交流電圧の周波数を切り替え、前記制御回路が、前記携帯端末装置の動作および状態に応じて、前記複数のＥＬシートのうちのいずれか１つを選択すると共に、前記交流電源回路を制御して前記交流電圧の周波数を切り替えさせて、選択した前記ＥＬシートの発高輝度を調節して点灯させる構成を有している。
【００１１】
この構成により、部品点数の増加と音響ノイズの増加を従来の携帯端末装置よりも低減することができると共に、携帯端末装置の動作および状態に応じて周波数を切り替えるため、通話時に周波数を通信帯域から遠ざけることによって、さらに音響ノイズを低減させることが可能な携帯端末装置を実現することができる。
【００１２】
また、本発明の携帯端末装置は、複数のＥＬシートと、前記複数のＥＬシートに印加する交流電圧を発生させる交流電源回路と、前記複数のＥＬシートの点灯および前記交流電源回路の動作を制御する制御回路と、外部の装置と通信する通信部とを備えた携帯端末装置において、前記交流電源回路が、前記制御回路の制御に応じて、発生する前記交流電圧の周波数を切り替え、前記制御回路が、前記携帯端末装置の動作および状態に応じて、前記複数のＥＬシートのうちのいずれか１つを選択すると共に、前記交流電源回路を制御して、選択した前記ＥＬシートに交流電圧を印加し点灯させ、前記携帯端末装置が前記通信部を介して通話を行う動作のとき、前記交流電源回路を制御して前記交流電圧の周波数を切り替えさせて低下させる構成を有している。
【００１３】
この構成により、部品点数の増加と音響ノイズの増加を従来の携帯端末装置よりも低減することができると共に、携帯端末装置が通話モードのとき、交流電圧の周波数を低下させてＥＬシートを点灯するため、さらに音響ノイズを低減させることが可能な携帯端末装置を実現することができる。
【発明の効果】
【００１４】
本発明は、１つの交流電源回路を用いてＥＬシートを別々に点灯させ、不必要にＥＬシートが点灯することを低減できるため、携帯端末装置が複数のＥＬシートを備える場合の部品点数の増加と音響ノイズの増加を、従来の携帯端末装置よりも低減することが可能な携帯端末装置を提供することができるものである。
【発明を実施するための最良の形態】
【００１５】
以下、本発明の実施の形態について、図面を用いて説明する。
【００１６】
（実施の形態）
図１は、本発明の実施の形態に係る携帯端末装置を構成するＥＬシート点灯回路のブロック構成を示す図である。図２は、本発明の実施の形態に係る携帯端末装置の開閉状態毎の外観を模式的に示す図である。
【００１７】
本発明の携帯端末装置は、図２に示すように、ＥＬシート３１、３２を備える、例えば携帯通信端末装置等である。以下、携帯通信端末装置を例にとり、本発明の携帯端末装置について説明する。ＥＬシート点灯回路１００は、図１に示すように、ＥＬシート３１、３２に印加する交流電圧を発生させる交流電源回路２０と、点灯させるＥＬシート３１、３２を選択し、選択したＥＬシート３１、３２に交流電圧を印加するように交流電源回路２０を制御する制御回路とを有する。
【００１８】
ここで、制御回路は、携帯端末装置の動作および状態に応じてＥＬシート３１、３２の点灯および交流電源回路２０の動作を制御するＣＰＵ１０と、例えば、ＮチャネルのＭＯＳＦＥＴ（Metal-Oxide Semiconductor Field Effect Transistor）等からなるスイッチング素子（以下、選択用スイッチング素子という。）１１、１２によって構成される。ＣＰＵ１０が行う制御は、記憶するプログラムに基づいて行われる。
【００１９】
ＣＰＵ１０は、ＥＬシート３１、３２のうちのいずれか１つを選択するための複数のＥＬ選択信号と、選択したＥＬシート３１、３２に交流電圧を印加させるためのＥＬ点灯信号と、選択したＥＬシート３１、３２に印加する交流電圧の周波数を切り替えるための複数の周波数切替信号とを出力し、携帯端末装置の動作および状態に応じてＥＬシート３１、３２の点灯と交流電源回路２０の動作とを制御するようになっている。ここで、ＥＬシートは、通常、印加する交流電圧の周波数に応じて輝度が変化する。具体的には、周波数が高いほど輝度が高くなる。
【００２０】
ここで、携帯端末装置の動作としては、例えば、通常動作モード、通話モード、高輝度モード等の異なる動作モードでの動作がある。また、携帯端末装置の状態としては、例えば、携帯端末装置を開いた状態、折り畳んだ状態等の状態がある。通話モードは、携帯端末装置が外部の装置と通信するモードであり、高輝度モードは、輝度を高くしていずれかのＥＬシート３１、３２を点灯させるモードであり、通常モードは、その他のモードである。携帯端末装置の開閉状態は、例えば、開閉状態を検出する開閉検出センサ１３から出力される開閉信号に基づいて決定される。また、動作モードは、例えば操作部３３を介して入力された信号、通信の有無等に応じて決定される。また、ＥＬ点灯信号および周波数切替信号の系統数はＥＬシートの数と同一であり、図１には２系統の例が示されている。
【００２１】
各ＥＬ選択信号は、例えば所定値以上の直流電圧の信号であり、各スイッチング素子１１、１２に出力される。ＥＬ点灯信号は、例えば所定値以上の直流電圧の信号であり、いずれかのＥＬシート３１、３２を点灯させるとき、交流電源回路２０のＥＬ駆動回路２１に出力される。各周波数切替信号は、例えば所定値以上の直流電圧の信号であり、交流電源回路２０に出力される。
【００２２】
交流電源回路２０は、外部に接続された抵抗の抵抗値に応じた周波数の交流電圧をＥＬシート３１、３２に印加するＥＬ駆動回路２１と、周波数を切り替えるためにＥＬ駆動回路２１の外部に接続された周波数切替用抵抗２２、２３、２４と、周波数切替用抵抗２２、２３、２４を並列接続するためのスイッチング素子２５、２６と、外部のレギュレータ４２に接続された昇圧用コイル２７とを有する。
【００２３】
ＥＬ駆動回路２１は、例えば、図３に示すブロック構成の松下電器産業製ＥＬドライバーＩＣＭＩＰ８２６からなり、ＥＮＢ端子にＥＬ点灯信号が入力されるとＥＬＤ端子から交流電圧をＥＬシート３１、３２に出力するようになっている。具体的には、ＥＬ点灯信号が入力されると、ＥＬ駆動回路２１のトランジスタ２０１がオンとなり、トランジスタ２０１の抵抗２０２に接続された端子の電位の上昇がバッファアンプ２０３を介して発振回路２０４およびロジック回路２０５に出力され、発振回路２０４が、ＲＴ１端子とＲＴ２端子との間に接続された周波数切替用抵抗２２、２３、２４の抵抗値に応じた周波数の信号を発生し、ロジック回路２０５が、発振回路２０４から出力された信号を、周波数を１／２および１／２５６に下げた信号に変換し、それぞれ昇圧用のトランジスタ２０６および電位切替用のトランジスタ２０７に出力し、電位切替用のトランジスタ２０７がオンのときに、昇圧用のトランジスタ２０６のオンオフに応じて生成された交流電圧がダイオード２０８を介してＥＬＤ端子に出力され、容量性のＥＬシート３１、３２に印加されるようになっている。
【００２４】
図２に示すように、周波数切替用抵抗２２、２３、２４は、いずれの系統の周波数切替信号も入力されないときに周波数切替用抵抗２２のみがＥＬ駆動回路２１のＲＴ１端子とＲＴ１端子との間に接続され、第１の周波数切替信号がスイッチング素子２５に入力されたときに周波数切替用抵抗２３が周波数切替用抵抗２２に並列に接続され、第２の周波数切替信号がスイッチング素子２６に入力されたときに周波数切替用抵抗２３が周波数切替用抵抗２４に並列に接続されるようになっている。
【００２５】
各周波数切替用抵抗２２、２３、２４の抵抗値は、ＥＬ駆動回路２１に発生させる交流電圧の周波数に応じて決定され、それぞれ、例えば１０００ｋΩの値をとるのでもよい。スイッチング素子２５は、第１の周波数切替信号が入力されたときに周波数切替用抵抗２３を周波数切替用抵抗２２に並列に接続し、スイッチング素子２６は、第２の周波数切替信号が入力されたときに周波数切替用抵抗２４を周波数切替用抵抗２３に並列に接続するようになっている。各周波数切替用抵抗２２、２３、２４の抵抗値をそれぞれ１０００ｋΩとする場合、スイッチング素子２５、２６のオンオフによってＥＬ駆動回路２１の端子ＲＴ１と端子ＲＴ２との間に接続された外部抵抗の抵抗値は、１０００ｋΩ、５００ｋΩおよび３３３ｋΩ等の間で切り替えられる。
【００２６】
なお、ＥＬ駆動回路２１のＶＣＣ端子には、電池４１の出力電圧を安定化するレギュレータ４２からの出力電圧が印加され、ＥＬ駆動回路２１のＧＮＤ端子は、例えば携帯端末装置のアース電位に接地され、昇圧用コイル２７は、ＥＬ駆動回路２１のＣＩＬ端子とレギュレータ４２の出力端子との間に接続される。ここで、コンデンサ４３は、レギュレータ４２の出力端子に印加される交流電圧を除去して電池４１を保護するためのものである。
【００２７】
表１は、各動作モードとＥＬ駆動回路２１が発生する交流電圧の周波数との対応関係の一例を示す表である。
【００２８】
【表１】
2007006005.tif 000003
【００２９】
表１には、第１の周波数切替信号および第２の周波数切替信号が、通話モードでいずれも「Ｌ」に、通常モードでそれぞれ「Ｈ」および「Ｌ」に、高輝度モードでいずれも「Ｈ」に設定される例が示されている。表１には、各周波数切替用抵抗２２、２３、２４の抵抗値が１０００ｋΩ例が示され、ＥＬ駆動回路２１が発生する交流電圧の周波数は、通話モード、通常モードおよび高輝度モードで、それぞれ、例えば１５０Ｈｚ、２５０Ｈｚおよび４００Ｈｚの値となる。
【００３０】
表２は、点灯するＥＬシート３１、３２と、各信号との対応関係の一例を示す図である。
【００３１】
【表２】
2007006005.tif 000004
【００３２】
ここで、「Ｌ」および「Ｈ」の開閉信号は、それぞれ携帯通信端末が「開」および「閉」であることを示す。
【００３３】
表２に示す例では、開閉信号が「Ｌ」のとき、ＥＬシート３１が点灯され、開閉信号が「Ｈ」のとき、ＥＬシート３２が点灯されるようになっている。したがって、携帯通信端末が「開」の状態で、ＥＬシート３１が点灯され、「閉」の状態で、ＥＬシート３２が点灯される。また、ＥＬシート３１、３２の点灯のため、ＥＬ点灯信号が「Ｈ」に設定され、「Ｈ」のＥＬ選択信号が入力されたＥＬシート３１、３２が選択され点灯するようになっている。さらに、全てのＥＬシート３１、３２を消灯するときは、開閉信号にかかわらず、ＥＬ点灯信号および全ての系統のＥＬ選択信号が「Ｌ」に設定される。
【００３４】
以下、本発明の実施の形態に係る携帯端末装置を構成するＥＬシート点灯回路１００の動作について説明する。図４は、本発明の実施の形態に係る携帯端末装置を構成するＥＬシート点灯回路１００の動作を説明するためのフローチャートである。まず、ＣＰＵ１０は、入力された操作信号等に基づいてＥＬシート３１、３２の点灯制御の処理を継続するか否かを判断し（Ｓ１０１）、継続すると判断した場合、処理はステップＳ１０２に進み、継続しないと判断した場合、処理は終了する。
【００３５】
ステップＳ１０１で継続すると判断した場合、ＣＰＵ１０は、開閉信号が「Ｌ」か否かを判断し（Ｓ１０２）、「Ｌ」と判断した場合、処理はステップＳ１０３に進み、「Ｌ」でないと判断した場合、処理はステップＳ１２４に進む。
【００３６】
ステップＳ１０２で開閉信号が「Ｌ」と判断した場合、ＣＰＵ１０は、通信中か否かを判断し（Ｓ１０３）、通信中と判断した場合、処理はステップＳ１０４に進み、通信中でないと判断した場合、処理はステップＳ１１４に進む。
【００３７】
ステップＳ１０３で通信中と判断した場合、ＣＰＵ１０は、入力された操作信号に基づいてＥＬシート３１を点灯するか否かを判断し（Ｓ１０４）、点灯すると判断した場合、処理はステップＳ１３１に進み、点灯しないと判断した場合、処理はステップＳ１３２に進む。
【００３８】
ステップＳ１０４でＥＬシート３１を点灯すると判断した場合、ＣＰＵ１０は、ＥＬシート３１に「Ｈ」の第１のＥＬ選択信号を出力し、ＥＬシート３２に「Ｌ」の第２のＥＬ選択信号を出力し、ＥＬ駆動回路２１に、「Ｈ」のＥＬ点灯信号、「Ｈ」の第１の周波数切替信号および「Ｌ」の第２の周波数切替信号を出力する（Ｓ１３１）。
【００３９】
ステップＳ１０４でＥＬシート３１を点灯しないと判断した場合、ＣＰＵ１０は、ＥＬシート３１に「Ｌ」の第１のＥＬ選択信号を出力し、ＥＬシート３２に「Ｌ」の第２のＥＬ選択信号を出力し、ＥＬ駆動回路２１に、「Ｌ」のＥＬ点灯信号、「Ｌ」の第１の周波数切替信号および「Ｌ」の第２の周波数切替信号を出力する（Ｓ１３２）。
【００４０】
ステップＳ１０３で通信中でないと判断した場合、ＣＰＵ１０は、入力された操作信号等に基づいてＥＬシート３１を点灯するか否かを判断し（Ｓ１１４）、点灯すると判断した場合、処理はステップＳ１１５に進み、点灯しないと判断した場合、処理はステップＳ１３５に進む。
【００４１】
ステップＳ１１４でＥＬシート３１を点灯すると判断した場合、ＣＰＵ１０は、入力された信号に基づいてＥＬシート３１を高輝度で点灯するか否かを判断し（Ｓ１１５）、高輝度で点灯すると判断した場合、処理はステップＳ１３３に進み、高輝度で無く通常の輝度で点灯すると判断した場合、処理はステップＳ１３４に進む。
【００４２】
ステップＳ１１５でＥＬシート３１を高輝度で点灯すると判断した場合、ＣＰＵ１０は、ＥＬシート３１に「Ｈ」の第１のＥＬ選択信号を出力し、ＥＬシート３２に「Ｌ」の第２のＥＬ選択信号を出力し、ＥＬ駆動回路２１に、「Ｈ」のＥＬ点灯信号、「Ｈ」の第１の周波数切替信号および「Ｈ」の第２の周波数切替信号を出力する（Ｓ１３３）。
【００４３】
ステップＳ１１５でＥＬシート３１を通常の輝度で点灯すると判断した場合、ＣＰＵ１０は、ＥＬシート３１に「Ｈ」の第１のＥＬ選択信号を出力し、ＥＬシート３２に「Ｌ」の第２のＥＬ選択信号を出力し、ＥＬ駆動回路２１に、「Ｈ」のＥＬ点灯信号、「Ｈ」の第１の周波数切替信号および「Ｌ」の第２の周波数切替信号を出力する（Ｓ１３４）。
【００４４】
ステップＳ１１４でＥＬシート３１を点灯しないと判断した場合、ＣＰＵ１０は、ＥＬシート３１に「Ｌ」の第１のＥＬ選択信号を出力し、ＥＬシート３２に「Ｌ」の第２のＥＬ選択信号を出力し、ＥＬ駆動回路２１に、「Ｌ」のＥＬ点灯信号、「Ｌ」の第１の周波数切替信号および「Ｌ」の第２の周波数切替信号を出力する（Ｓ１３５）。
【００４５】
ステップＳ１０２で開閉信号が「Ｈ」と判断した場合、ＣＰＵ１０は、入力された信号に基づいてＥＬシート３２を点灯するか否かを判断し（Ｓ１２４）、点灯すると判断した場合、処理はステップＳ１２５に進み、点灯しないと判断した場合、処理はステップＳ１３８に進む。
【００４６】
ステップＳ１２４でＥＬシート３２を点灯すると判断した場合、ＣＰＵ１０は、入力された信号に基づいてＥＬシート３２を高輝度で点灯するか否かを判断し（Ｓ１２５）、高輝度で点灯すると判断した場合、処理はステップＳ１３６に進み、高輝度で無く通常の輝度で点灯すると判断した場合、処理はステップＳ１３７に進む。
【００４７】
ステップＳ１２５でＥＬシート３２を高輝度で点灯すると判断した場合、ＣＰＵ１０は、ＥＬシート３１に「Ｌ」の第１のＥＬ選択信号を出力し、ＥＬシート３２に「Ｈ」の第２のＥＬ選択信号を出力し、ＥＬ駆動回路２１に、「Ｈ」のＥＬ点灯信号、「Ｈ」の第１の周波数切替信号および「Ｈ」の第２の周波数切替信号を出力する（Ｓ１３６）。
【００４８】
ステップＳ１２５でＥＬシート３２を通常の輝度で点灯すると判断した場合、ＣＰＵ１０は、ＥＬシート３１に「Ｌ」の第１のＥＬ選択信号を出力し、ＥＬシート３２に「Ｈ」の第２のＥＬ選択信号を出力し、ＥＬ駆動回路２１に、「Ｈ」のＥＬ点灯信号、「Ｈ」の第１の周波数切替信号および「Ｌ」の第２の周波数切替信号を出力する（Ｓ１３７）。
【００４９】
ステップＳ１２４でＥＬシート３２を点灯しないと判断した場合、ＣＰＵ１０は、ＥＬシート３１に「Ｌ」の第１のＥＬ選択信号を出力し、ＥＬシート３２に「Ｌ」の第２のＥＬ選択信号を出力し、ＥＬ駆動回路２１に、「Ｌ」のＥＬ点灯信号、「Ｌ」の第１の周波数切替信号および「Ｌ」の第２の周波数切替信号を出力する（Ｓ１３８）。
【００５０】
以上説明したように、１つの交流電源回路を用いてＥＬシートを別々に点灯させ、不必要にＥＬシートが点灯することを低減できるため、携帯端末装置が複数のＥＬシートを備える場合の部品点数の増加と音響ノイズの増加を、従来の携帯端末装置よりも低減することができる。
【００５１】
また、部品点数の増加と音響ノイズの増加を従来の携帯端末装置よりも低減することができると共に、携帯端末装置の携帯端末装置の動作および状態に応じて周波数を切り替えるため、通話時に周波数を通信帯域から遠ざけることによって、さらに音響ノイズを低減させることが可能な携帯端末装置を実現することができる。
【００５２】
また、部品点数の増加と音響ノイズの増加を従来の携帯端末装置よりも低減することができると共に、携帯端末装置が通話モードのとき、交流電圧の周波数を低下させてＥＬシートを点灯するため、さらに音響ノイズを低減させることができる。
【００５３】
なお、本発明の実施の形態では、ＥＬシート３１、３２を選択するスイッチング素子１１、１２の１端がアース電位に接地される構成について説明したが、本発明は上記の構成に限定されず、図５に示すようにＥＬシート３１、３２の１端がアース電位に接地される構成でもよい。
【産業上の利用可能性】
【００５４】
本発明に係る携帯端末装置は、１つの交流電源回路を用いてＥＬシートを別々に点灯させ、不必要にＥＬシートが点灯することを低減できるため、携帯端末装置が複数のＥＬシートを備える場合の部品点数の増加と音響ノイズの増加を、従来の携帯端末装置よりも低減することができるという効果を有し、携帯端末装置等として有用である。
【図面の簡単な説明】
【００５５】
【図１】本発明の実施の形態に係る携帯端末装置を構成するＥＬシート点灯回路のブロック構成を示す図
【図２】本発明の実施の形態に係る携帯端末装置の開閉状態毎の外観を模式的に示す図
【図３】本発明の実施の形態に係るＥＬ駆動回路の等価回路の構成を示す図
【図４】本発明の実施の形態に係る携帯端末装置を構成するＥＬシート点灯回路の動作を説明するためのフローチャート
【図５】本発明の実施の形態に係る携帯端末装置を構成するＥＬシート点灯回路の他のブロック構成を示す図
【図６】特許文献１に記載された、交流電界駆動型のＥＬ素子をバックライトに用いた携帯端末装置の一部の構成を示す図
【符号の説明】
【００５６】
１、４１  電池
２、４２  レギュレータ
３、５Ｂ〜Ｆ、５Ｈ、２０１、２０６、２０７  トランジスタ
４  給電制御部
５  交流電圧生成部
５Ａ、２０４  発振回路
５Ｇ  電圧制御回路
６、２０２  抵抗
７  昇圧コイル
８  ダイオード
９、４３  コンデンサ
１０  ＣＰＵ
１１、１２  スイッチング素子（選択用スイッチング素子）
１３  開閉検出センサ
２０  交流電源回路
２１  ＥＬ駆動回路
２２、２３、２４  周波数切替用抵抗
２５、２６  スイッチング素子
２７  昇圧用コイル
３１、３２  ＥＬシート
１００  ＥＬシート点灯回路
２０５  ロジック回路
【図１】
2007006005.tif 000005
【図２】
2007006005.tif 000006
【図３】
2007006005.tif 000007
【図４】
2007006005.tif 000008
【図５】
2007006005.tif 000009
【図６】
2007006005.tif 000010